(57)【要約】【課題】衣服用ハンガーを手軽に引掛ける長押として使用すると共に、額縁等を吊り下げる紐をフックランナに引掛けて該フックランナを係止するピクチャーレールとして使用することができ、しかも衣服用ハンガーや額縁を吊り下げることが可能なフックランナの強度を容易に確保することができるようにした長押兼用ピクチャーレールを提供する。【解決手段】衣服用ハンガーを引掛ける長押として使用すると共に、額縁等を吊り下げる紐をフックランナ２に引掛けて該フックランナ２を係止するピクチャーレールとして使用することができる長押兼用ピクチャーレール１において、壁面に水平状に取付ける長尺の長押本体３の上方内側に沿って溝部４を有すると共に、該長押本体３の上方外側に張り出したフック受けレール５を有し、該フック受けレール５に着脱自在且つ摺動自在に嵌合する嵌合片６と該嵌合片６から垂下して成るフック部７とを備えたフックランナ２を有する。【選択図】図１
0003146886.tif 000002
【実用新案登録請求の範囲】
【請求項１】
衣服用ハンガーを引掛ける長押として使用すると共に、額縁等を吊り下げる紐をフックランナに引掛けて該フックランナを係止するピクチャーレールとして使用することができ、化粧ボード等の壁面に水平状に取付ける長尺の長押本体は合成樹脂より形成され、長押本体の上方内側に沿って溝部を有すると共に、該長押本体の前面には軟質の化粧板が固定され、長押本体の前面から壁面に対して捩じ込んだネジの頭部を化粧板で隠すように固定することが可能な長押兼用ピクチャーレールにおいて、
長押本体の上方外側に張り出した断面円弧形を有するフック受けレールを有し、該フック受けレールに着脱自在且つ摺動自在に嵌合する断面円弧形状の嵌合片と該嵌合片から垂下して成るフック部とを備えた硬質合成樹脂からなるフックランナを有し、
化粧板に対面する部位の長押本体の内部は、画鋲やネジクギ等を捩じ込み易いように密度が疎なる多孔質体として形成されていることを特徴とする長押兼用ピクチャーレール。
【考案の詳細な説明】
【技術分野】
【０００１】
本考案は、衣服用ハンガーを引掛ける長押として使用すると共に、額縁等を吊り下げる紐をフックランナに引掛けて該フックランナを係止するピクチャーレールとして使用することが可能な長押兼用ピクチャーレールに関する。
【背景技術】
【０００２】
従来から知られている長押は、室内の鴨居の上部に化粧材として取り付けられ、内法長押のように上部内側に溝が形成されている場合、衣服用ハンガーや額縁を吊り下げるフック等を引掛けることが可能とされている。また、従来から周知の長押は、木材で形成されているため、画鋲やネジクギ等を捩じ込むことによって、ポスターやカレンダー等を室内に手軽に表示することが可能とされている。
【０００３】
ところで、室内に上記の長押のような化粧板が設けられていない場合、衣服用ハンガーや額縁を吊り下げるフック等を引掛けるためのネジクギ、或いはポスター等を張り付けるための画鋲等を壁面に捩じ込むと、壁面に傷穴が生じるという不都合があった。このため、室内の壁面に、衣服用ハンガーを引掛ける長押、或いは額縁等のフックを引掛けるピクチャーレールのようなものを取付けることが望ましい。
【０００４】
この種の従来品として、特許文献１に記載されているものは、ピクチャーレールのレール溝にフック部材上端のフックを嵌め、ピクチャーレールとフックに外れ防止金具を装着したものであって、ピクチャーレールに嵌めこんだフックが外れない構造としたものである。従って、この従来品は、衣服用ハンガー等を手軽に引掛けたり、取り外したりするものではなく、また画鋲やネジクギ等を手軽に捩じ込むことを可能とするものではなく、長押兼用ピクチャーレールとして使用できるものではない。
【特許文献１】実用新案登録第３１１２４５９号公報
【考案の開示】
【考案が解決しようとする課題】
【０００５】
本考案は、上記の事情に鑑みてなされたもので、衣服用ハンガーを手軽に引掛ける長押として使用すると共に、額縁等を吊り下げる紐をフックランナに引掛けて該フックランナを係止するピクチャーレールとして使用することができ、しかも衣服用ハンガーや額縁を吊り下げることが可能なフックランナの強度を容易に確保することができるようにした長押兼用ピクチャーレールを提供することを目的とする。
【課題を解決するための手段】
【０００６】
上記の問題を解決するために、本発明における請求項１の長押兼用ピクチャーレールは、  衣服用ハンガーを引掛ける長押として使用すると共に、額縁等を吊り下げる紐をフックランナに引掛けて該フックランナを係止するピクチャーレールとして使用することができ、化粧ボード等の壁面に水平状に取付ける長尺の長押本体は合成樹脂より形成され、長押本体の上方内側に沿って溝部を有すると共に、該長押本体の前面には軟質の化粧板が固定され、長押本体の前面から壁面に対して捩じ込んだネジの頭部を化粧板で隠すように固定することが可能な長押兼用ピクチャーレールにおいて、長押本体の上方外側に張り出した断面円弧形を有するフック受けレールを有し、該フック受けレールに着脱自在且つ摺動自在に嵌合する断面円弧形状の嵌合片と該嵌合片から垂下して成るフック部とを備えた硬質合成樹脂からなるフックランナを有し、化粧板に対面する部位の長押本体の内部は、画鋲やネジクギ等を捩じ込み易いように密度が疎なる多孔質体として形成されていることを特徴とする。
【考案の効果】
【０００７】
以上説明した本考案の長押兼用ピクチャーレールにおいて、長押本体は、壁面に取り付けた状態で、長押本体の上方内側に沿って形成された溝部に衣服用ハンガーを手軽に引掛けることが可能である。
【０００８】
また、長押本体の上方外側に張り出したフック受けレールの任意箇所にフックランナを着脱自在に嵌合し、またはこのフックランナをフック受けレールに沿って横方向に自由に摺動することが可能であるため、フックランナのフック部に紐を介して吊り下げた額縁等の位置を自由に変えることが可能となる。
【０００９】
また、本考案において、フックランナの幅をフック部に掛ける物の重量に耐えるように調整することによって、フックランナのフック部に重量の大きいものを吊り下げる場合であっても、十分な耐力を発揮することが可能となる。
【００１０】
さらに、長押本体の前面には軟質の化粧板が固定されると共に、該化粧板に対面する部位の長押本体の内部は、画鋲やネジクギが捩じ込み易い樹脂製の多孔質体とすることにより、画鋲やネジクギを容易に捩じ込むことができ、また画鋲やネジクギを抜き出した場合でも、傷穴が生じ難いものとなる。
【考案を実施するための最良の形態】
【００１１】
以下、本考案の実施例について図面を参照しながら説明する。
【実施例１】
【００１２】
本考案による長押兼用ピクチャーレール１は、衣服用ハンガー１０を引掛ける長押として使用する（図３（ａ）参照）と共に、図１に示すように、額縁１１等を吊り下げる紐１２をフックランナ２に引っ掛けて該フックランナ２を係止するピクチャーレールとして使用する長押兼用ピクチャーレール１であって、壁面１５に水平状に取付ける長尺の長押本体３の上方内側に沿って溝部４を有すると共に、長押本体３の上方外側に張り出したフック受けレール５を有し、該フック受けレール５に着脱自在且つ摺動自在に嵌合する嵌合片６と該嵌合片６から垂下して成るフック部７とを備えたフックランナ２を有するものである。
【００１３】
このような長押兼用ピクチャーレール１について説明すると、図１に示す長尺の板形状からなる長押本体３には、長押本体３の上方外側に張り出した断面円弧形状のフック受けレール５が形成され、該フック受けレール５が均等な断面形状を成して、長押本体３に沿って延長されているため、フック受けレール５に着脱自在に嵌合したフックランナ２を摺動自在に移動することが可能となる。
【００１４】
フックランナ２は硬質合成樹脂からなり、フック受けレール５の断面円弧形の外周に嵌合し得る円弧形状の嵌合片６を備え、嵌合片６からフック部７が垂下されてなる形状を有する。
【００１５】
また、このフックランナ２は硬質合成樹脂の押出し成形により形成されることによって、均一な断面形状を有する成形品とすることが可能であり、このフックランナ２の幅を所定箇所でカットすることにより、フック部７に掛ける物の重量に応じて強度を大きくすることができる幅に作製することが可能となる。
【００１６】
また、長押本体３は合成樹脂より形成され、図１に示すように、長押本体３の前面には長手方向に沿って溝面３ｂが形成され、該溝面３ｂに軟質の合成樹脂シート等による化粧板８が接着剤等で固定されると共に、図３(ｂ)に示すように、化粧板８に対面する部位の長押本体３の内部は、画鋲やネジクギ等を捩じ込み易い多孔質体３ａとして形成されている。即ち、長押本体３の内部に、例えば、見掛け密度０．３〜０．７ｇ／ｃｍ3 の多孔質体３ａを形成することによって、密度が疎なる部分を形成し、画鋲１３やネジクギ等を捩じ込み易いものとしている。
【００１７】
また、画鋲１３やネジクギ等を引き抜いた後においては、軟質の化粧板８には画鋲１３やネジクギ等の引抜き穴が生じ難く、この化粧板８で長押本体３の引抜き穴を隠した状態にすることが可能となる。
【００１８】
このような構成により、図３（ｂ）に示すように、ポスター１４等を画鋲１３で何度も張り替えた後、ポスター１４を外して化粧板８を露呈したとしても、画鋲１３の穴跡が目立つことなく、長押本体３を綺麗な外観に保っておくことが可能となる。
【００１９】
また、図２（ａ）、（ｂ）に示すように、長押本体３は化粧板８を外した状態にして、木ネジ９等を長押本体３から化粧ボード等の壁面１５を介して下地１６まで捩じ込んで固定した後、化粧板８を接着剤または両面テープ等で固定することにより、木ネジ９等の頭部を隠すことができ、長押本体３を綺麗な外観で取り付けることが可能となる。このように、本実施例における長押本体３は、木ネジ９の他に、コンクリート、軽鉄、木製品等の下地１６に応じた固定具を使用することによって、化粧ボード等の壁面１５に堅固に固定することができ、フックランナ２に掛けた物の重量が大きい場合でも、長押本体３が壁面１５から外れるのを防止することが可能となる。
【００２０】
さらに、図３（ａ）に示すように、本実施例の長押兼用ピクチャーレール１においては、洋服用ハンガー１０を長押本体３の上方外側に張り出したフック受けレール５に引掛けておくことも可能である。また、不図示であるが、この洋服用ハンガー１０を、図１または図２（ａ）、（ｂ）に示すフックランナ２のフック部７に引掛けておくことも可能であり、幅を広くしたフックランナ２を使用することによって、洋服用ハンガー１０に洋服を掛けた場合の重量にも十分耐え得るフックランナ２とすることが可能である。
【産業上の利用可能性】
【００２１】
本考案の長押兼用ピクチャーレールは、衣服用ハンガーを引掛ける長押として使用すると共に、額縁等のフックを引掛けるピクチャーレールとして使用することができる長押兼用ピクチャーレールであって、衣服用ハンガーや額縁を吊り下げることができるフックランナを有し、このフックランナが引掛ける物の重量に十分に耐えることができる長押兼用ピクチャーレールとして利用することが可能である。
【図面の簡単な説明】
【００２２】
【図１】本考案の実施例における長押兼用ピクチャーレールの斜視図である。
【図２】本考案の実施例における長押兼用ピクチャーレールを壁面に取り付けた状況を示す断面図であり、（ａ）はフックランナを取り付ける前の状況を示し、（ｂ）はフックランナを取り付けた後の状況を示す。
【図３】（ａ）は本考案の実施例における長押兼用ピクチャーレールのフック受けレールに洋服用ハンガーを引掛けた状況を示す断面図であり、（ｂ）はその長押兼用ピクチャーレールの化粧板から長押本体の内部へ画鋲を捩じ込んだ状況を示す断面図である。
【符号の説明】
【００２３】
１  長押兼用ピクチャーレール
２  フックランナ
３  長押本体
３ａ  多孔質体
３ｂ  溝面
４  溝部
５  フック受けレール
６  嵌合片
７  フック部
８  化粧板
９  木ネジ
１０  衣服用ハンガー
１１  額縁
１２  紐
１３  画鋲
１４  ポスター
１５  壁面
１６  下地
【図１】
0003146886.tif 000003
【図２】
0003146886.tif 000004
【図３】
0003146886.tif 000005